(57)【特許請求の範囲】
【請求項１】
上方壁（３２）および下方壁（３４）を備え、それらの間に空洞（４８）を限定し、空洞の内部にコネクタ（６４）が配置され、コネクタは集積回路を具備したコンタクトカード（Ｃ）を装置に電気的に接続するための絶縁材料で構成された支持体を含み、ある適用のために、カードの前方横断方向エッジ（９９）の近くに、コネクタにおけるカード（Ｃ）の位置決めのために方向付け手段を構成する切り取られた直線縁部（１１６）を含むタイプのカードを有する電気的接続装置（３０）であって、
上方主壁（４４）は、カード（Ｃ）が挿入位置にあるとき、このカードの偶発的な脱出を阻止するために切り取られた直線縁部（１１６）の前方に突出する停止部を構成するように、切り取られた直線縁部（１１６）のレベルより僅かに低い高さで突出するボス（１２０）を主壁の内面（４５）に含み、カードが引出されるとき、切り取られた直線縁部（１１６）、したがってカード（Ｃ）の上面（７３）が通過するときに、ボス（１２０）によって構成された停止部が、上方壁（４４）の対応した部分の少量の弾性変形によって引っ込むことを特徴とする電気的接続装置。
【請求項２】
絶縁材料の支持体（６６）は、カードの挿入方向に平行な２つのエッジ（９２，９４）および横断方向の少なくとも１つの後方エッジ（９６）によって限定され、上面（６８）が開放したハウジング（７０）を含み、このハウジングは、カード（Ｃ）がその接続位置にあり、その後方横断方向エッジ（９８）がハウジングの後方横断方向エッジ（９６）と接しているときに、支持体のハウジング（７０）の底面に配置された電気コンタクト素子（７８）のコンタクト端部（７６）と相互作用する導電領域（７４）を下方主面（７２）上に備えたカード（Ｃ）を少なくとも部分的に受け、ボス（１２０）が形成されている上方主壁（４４）の対向した内面（４５）は、コネクタ（６４）の支持体（６６）の上面（６８）に隣接していることを特徴とする請求項１による電気的接続装置。
【請求項３】
カード（Ｃ）を引出す手段は、カード（Ｃ）がハウジング（７０）内においてその引出しに対応した方向にスライドするようにこのカード（Ｃ）に作用することを可能にするために、上方主壁（４４）に形成され、かつカード（Ｃ）の挿入方向（Ｉ）に平行に延在しているノッチ（１１４）を含んでいることを特徴とする請求項１または2による電気的接続装置。
【請求項４】
ノッチ（１１４）は、カードの後方横断方向エッジと相互作用する取出しツールの挿入を可能とするために、カード（Ｃ）が挿入位置にあるときに、カード（Ｃ）の後方横断方向エッジ（９８）と一致して少なくとも部分的に延在することを特徴とする請求項３による電気的接続装置。
【請求項５】
カード（Ｃ）の平面に実質的に平行な方向（Ｉ）に、カード（Ｃ）の装置への挿入、またはそこからの引出しのためのスロット（８０）を含んでいることを特徴とする請求項１ないし４のいずれか1項による電気的接続装置。
【請求項６】
カード（Ｃ）は、挿入された位置において装置（３０）の内部に完全に配列されることを特徴とする請求項１ないし５のいずれか1項による電気的接続装置。
【請求項７】
カード（Ｃ）が装置に挿入された位置において、コネクタ（６４）のハウジング（７０）の接続位置にある場合、カードの前方横断方向エッジ（９９）は装置（３０）の内部に完全に位置され、挿入スロット（８０）の主エッジに関して少し内側に戻されて設定されることを特徴とする請求項１ないし６のいずれか1項による電気的接続装置。
【発明の詳細な説明】
【０００１】
【産業上の利用分野】
本発明は、集積回路を備えたコンタクトカードを接続するためのコネクタ、およびこのタイプのコネクタを備えた装置に関する。
【０００２】
【従来の技術】
スマートカードに含まれているデータを処理する任意の特定の電子装置へのスマートカードの接続は、一般に既知の一般的な設計のコネクタを介して実行され、このコネクタは絶縁材料から成る支持体を含み、この支持体はスマートカードを受けるその上面において開放したハウジングを備え、このスマートカードはその主面上において、コネクタの絶縁支持体のハウジングの下面に配置された電気コンタクト素子のコンタクト端部と相互作用する導電領域を含んでいる。
【０００３】
【発明が解決しようとする課題】
本発明の目的は、カードを挿入された位置に保持し、かつそれが偶発的に出てしまうことを防止できるコネクタの新しい構成を提供することである。
【０００４】
【課題を解決するための手段】
そのために、本発明は、ある種の用途に対してコネクタにおけるカード(C) の位置決定のために方向付け手段を構成する切取られた直線縁部を前方横断方向エッジの近くに有するタイプのコンタクトカード(C) を集積回路と接続するための電気コネクタであって、上方主壁は、カード(C) が装置から偶発的に出てしまうことを阻止するために、カード(C) が挿入位置にある時、直線縁部の前方に突出する停止部を構成するように直線縁部のレベルより低い高さで突出するボスをその内面上に含んでいることを特徴とする電気コネクタを提供する。
【０００５】
本発明の別の特徴によると、
カードが引出されている場合、切取られた直線縁部およびカードの上面が通過するときに、ボスによって構成された停止部が上方壁の対応した部分の僅かな弾性の応力変形によって引っ込み、
コネクタは、カードの挿入方向に平行な２つのエッジおよび、横断方向の少なくとも１つの後方エッジによって限定され、上面が開放したハウジングを含む絶縁材料で構成された支持体を備え、カードがその接続位置にあり、その後方横断方向エッジがハウジングの後方横断方向エッジと接しているときに、支持体のハウジングがその底面に配置された電気コンタクト素子のコンタクト端部と相互作用する導電領域を下方主面上に備えたカードを少なくとも部分的に受け、ボスが形成されている上方主壁の対向した内面は、コネクタの支持体の上面に隣接しており、
カードを引出す手段は、カードがハウジン内においてその引出しに対応した方向にスライドするようにこのカードに作用することを可能にするために、上方主壁に形成され、かつカードの挿入方向に平行に延在しているノッチを含み、
ノッチは、カードの後方横断方向エッジと相互作用する取出しツールの挿入を可能にするために、カードが挿入位置にあるときに、カードの後方横断方向エッジと一致して少なくとも部分的に延在する。
【０００６】
本発明はまた、本発明によるコネクタが内部に配置される空洞をそれらの間に規定する上方壁および下方壁を備えた装置を提供する。この装置は、カードの平面に実質的に平行な方向におけるカードの装置への挿入、またはそれからの引出しのためのスロットを有していることを特徴とする。
【０００７】
この装置の別の特徴によると、
カードは、挿入された位置において装置の内部に完全に配置され、
カードが装置中に挿入された位置にあり、したがってコネクタのハウジングの接続位置にある場合、その前方横断方向エッジは装置内に完全に配置され、換言すると、それは挿入スロットの主エッジに関して少し内側に折り曲げて設定される。
【０００８】
本発明のその他の特徴および利点は、以下の詳細な説明および添付図面を参照することにより理解されるであろう。
【０００９】
【発明の実施の形態】
図１は、既知の一般的な設計の装置30を示し、これは本質的に、それぞれが切断され、打ち抜かれ、折曲げられたシート金属である上半分のシェル32と下半分のシェル34とを含む金属シェルから構成されている。
【００１０】
２つの部分32，34におけるシェルの形状および寸法は、ＰＣＭＣＩＡ規格に一致しており、さらにこの規格はまた、それが例えばパーソナルコンピュータに属する相補型に成形された標準規格化されたスロット（示されていない）中に挿入されることができるようにシェルの設計詳細を定めてその寸法を限定している。
【００１１】
印刷回路板36は、装置30の内部において半分のシェル32および34の間に配置され、この装置の全体平面と平行に延在し、またその縦方向の両端部では図１に概略的に示されたコネクタ38，40を支持し、用途に応じて一方または他方のコネクタが、装置30のその対応した縦方向の端部を閉鎖するプラグを構成する同じ寸法の素子によって置換されることができる。
【００１２】
装置の中間回路板を構成する印刷回路板は、その両面上に電子素子（示されていない）を受けることができる。
【００１３】
図１に示されているように、コネクタの１つ40は、例えば通信ラインに装置30を接続するプラグ42の接続を可能にするように設計されていてもよい。
【００１４】
上半分のシェル32は平坦な上方主壁44を限定しており、それは下半分のシェル34の平坦な下方主壁46と共同して内部空洞48（図２を参照）を限定し、この空洞の内部では印刷回路板36が壁44および46と平行に、かつ壁44および46の内面45および47の間のほぼ中間に延在している。
【００１５】
装置30の規格化された設計によると、それは横断方向において２つの対向した側壁50および52によって限定され、これら側壁50および52は装置30のほぼ縦方向に平行であり、また下半分のシェル34の折曲げられた垂直なエッジ54および56から構成されており、これらエッジ54および56はその１つ58が図１に示されている上半分のシェル32の両側エッジの周囲にクリンプ結合で固定されている。
装置30は単一のシェルにより生成されてもよい。
【００１６】
接続装置30の側壁50および52は、装置30を受けるように意図された規格化されたスロットに属する対応したスライド路（示されていない）中で装置30を案内するレールの形態で設計されている。
【００１７】
したがって、上半分のシェル32および下半分のシェル34は、60，62のように変形され、装置30の全体的な高さ、すなわちその中央部分の厚さより側壁50および52の高さを低くされている。
【００１８】
“ＭＩＣＲＯ  ＳＩＭ”タイプの集積回路を備えたコンタクトカードＣを受けるように意図されたコネクタ64が装置30の内部に配置される。
【００１９】
例えばフランス国特許出願第９５．１４７６７号明細書に記載され、図示されている既知の設計によると、コネクタ64は、本質的に絶縁材料から形成された支持体66から構成され、この支持体はその上面68においてハウジング70を限定し、このハウジング70はその形状がカードＣのものと相補的であり、導電性領域74を含む下面72を備えたカードＣを少なくとも部分的に受けるように意図されている。導電性領域74は、カードＣがハウジング70中に挿入される位置のときに、コネクタのコンタクトブレード78に属するコンタクト端部76と接触する。
【００２０】
コネクタ64は、絶縁材料の支持体66の下面67が印刷回路板36の上面37上に支持されている状態で取付けられるように構成されている。
【００２１】
装置30が組立てられ、印刷回路板10により支持されたコネクタ64により閉鎖されると、カードＣのコネクタ64への挿入および取出しを可能にするために、スロット80が設けられている。このスロット80は、図面に示されている好ましい実施形態では接続装置30の側壁50の１つの近くに配置されている。
【００２２】
特に図２に詳細に示されているように、挿入スロット80は本質的に、装置30の厚さの減少された側部部分に対応した平坦な部分84において延在する折曲げ部分60に上方主壁44を結合する上半分のシェル32の側部部分の傾斜部分82に延在している。
【００２３】
傾斜された部分82から切取られたスロット80と一致して延在している前記部分84の部分84´は、この部分84の全体平面に関して垂直方向に少し下向きに変形されている。
【００２４】
したがって、挿入スロット80は、２つの主エッジ86および88、並びに２つの端部エッジ90および92により限定される。
【００２５】
この実施形態において、このコネクタ64は円筒形のスタッドの形態の４個の脚部101 をその下面67上に備えており、これら脚部101 は、一方において脚部101 がその中に嵌込まれる対応した穴100 を備えた印刷回路板36上においてコネクタ64の位置を定めて固定するように、また他方において装置30の偶発的な破損を防止するために、コネクタ64が装置30の上方主壁44と下方主壁46との間におけるスペーサ機能を果たすことを可能にするように意図されている。
【００２６】
したがって、特に図４のａから認めることができるように、円筒形スタッドの形態であり、かつスペーサを形成している脚部101 の高さは、各脚部101 の下端面102 が下方主壁46の内面47と接触し、一方コネクタ64の絶縁支持体66の平坦な上面68が対向する上方主壁44の内面45を支持するように構成されている。
【００２７】
図３のａに示されているように、その前方エッジ112 に形成された凹部110 を備えたコネクタ64の設計、およびスロット80に関する印刷回路板36上におけるその位置は、コンタクトブレード78の接続端部がスロット80によって構成されている軸領域に関して少し戻されて設定されるように定められており、したがって金属物質がスロット80に挿入された場合の偶発的な短絡の危険性が回避される。
【００２８】
図４に示されているように、カードＣが装置中に挿入された位置にあり、したがってコネクタ64のハウジング70の接続位置にある場合、その前方横断方向エッジ99は装置30内に完全に配置される。換言すると、それは挿入スロット80の上方主エッジ86に関して少し内側に戻されて設定される。カードの完全な挿入を容易にするために、スロット80のエッジに付加的な切込みが設けられてもよい。
【００２９】
したがって、コネクタ64を備えた装置30は、カードＣがパーソナルコンピュータの対応したスロット中に挿入されることを可能にするように、カードＣの挿入後は通常の装置と同じ輪郭“シルエット”を有する。
【００３０】
挿入スロット80の著しく小さい寸法は、装置30の全体的な構造を、換言するとその堅牢性を変化させず、またスロットは、装置が印刷回路板36によって支持されている素子（示されていない）に関して行なう電磁スクリーニング機能に影響を与えない。
【００３１】
図１乃至４に示されている実施形態によると、カードＣが装置30から取出されることを可能にするために、ノッチまたは取出し溝114 が上方主壁44に設けられており、これは図４のｂにおいて鎖線で示されており、装置30に関してカードの挿入または取出し方向Ｉに平行に延在する。ノッチ114 は、カードＣの後方横断方向エッジ98の一側上に、好ましくはコンタクトブレード78に属する金属部分を含まないコネクタ64の領域の反対側で延在しているように位置される。
【００３２】
したがって、カードＣの前方横断方向エッジ99がスロット80を通って装置30から少なくとも部分的に現れるように、カードの後方横断方向エッジ98に作用するように小さいツールをノッチ114 中に挿入して、ノッチ114 の長さが許す行程にわたって図４のａの左から右にそれをスライドさせることによって、そのハウジング70からそれを押し出すことが可能であり、この最初の引出し過程の後、使用者はカードを掴んで、装置30からそれを完全に取出すことができる。
【００３３】
前述の“ＭＩＣＲＯ  ＳＩＭ”カードの標準規格の規定によると、カードＣはその前方横断方向エッジ99の近くに切取られた直線縁部116 を有しており、いくつかの適用に対して、この直線縁部116 はカードＣのそのコネクタにおける位置のための方向付け手段を構成する。
カードＣが装置30中に挿入された位置にカードＣを保持し、偶発的に装置から部分的にでも出ることを阻止するために、停止部を構成するように空洞48中に低い高さにわたって延在するボス120 が切取られた直線縁部116 と一致して上方主壁44に形成されてもよい。
【００３４】
ノッチ114 中に挿入されたツールを使用してカードが引出される場合、使用者は、切取られた直線縁部116 したがってカードＣの上面73が通過するときに、ボス120 によって構成された停止部が上方壁44の対応した部分の少し弾性の応力変形によって引っ込むように、ちょっとした努力を行わなければならない。
【図面の簡単な説明】
【図１】  カードを接続するためのコネクタを備えた装置の主要部品の分解斜視図。
【図２】カードを装置に挿入するためのスロットの配置を拡大して示している図１に示された装置の詳細な斜視図。
【図３】接続装置に集積されることを意図されたスマートカードコネクタの第１の実施形態の平面図およびこの平面図の矢印Ｆ４および矢印Ｆ５に沿って見た側面図。
【図４】カード挿入スロットの近くにおける印刷回路板上のコネクタの設置を示している、接続装置の部分的に切取った状態での平面図、およびこの図のライン７−７に沿った部分的断面図。
【図１】
0003974260.tif 000002
【図２】
0003974260.tif 000003
【図３】
0003974260.tif 000004
【図４】
0003974260.tif 000005